(57)【要約】【課題】楽曲の全てではなく、楽曲の一部が放送される場合に対応する処理を行って、ユーザーの利便性を向上する。【解決手段】受信装置１は、楽曲データと、楽曲の識別に用いることが可能な楽曲情報とを対応付けて記憶し、楽曲を含む放送を受信し、放送に含まれる楽曲の前記楽曲情報を取得し、取得した前記楽曲情報と、記憶する前記楽曲情報とに基づいて、放送に含まれる楽曲と同じ楽曲の前記楽曲データを記憶しているか否かを判別し、放送に含まれる楽曲と同じ楽曲の前記楽曲データを記憶している判別した場合、放送に含まれる楽曲の再生時間と、記憶する前記楽曲データの楽曲の再生時間とを比較し、記憶する前記楽曲データの楽曲の再生時間の方が長い場合は、楽曲を含む放送に基づく音声の出力が終了した後、放送に基づく音声の出力を停止し、記憶する前記楽曲データを再生し、前記楽曲データに基づく音声を出力する。【選択図】図１
2018082256.tif 000002
【特許請求の範囲】
【請求項１】
放送を受信する放送受信手段と、
楽曲データと、楽曲の識別に用いることが可能な楽曲情報とを対応付けて記憶する楽曲データ記憶手段と、
前記楽曲データ記憶手段が記憶する前記楽曲データを再生する楽曲再生手段と、
前記放送受信手段が受信する放送に基づく音声を出力することが可能であり、また、前記楽曲再生手段が再生する前記楽曲データに基づく音声を出力することが可能な音声出力手段と、
前記放送受信手段により受信する楽曲を含む放送について、前記楽曲情報を取得する楽曲情報取得手段と、
前記放送受信手段により楽曲を含む放送を受信し、受信した楽曲を含む放送を前記音声出力手段により出力する場合に、前記楽曲情報取得手段により取得された前記楽曲情報と、前記楽曲データ記憶手段が記憶する前記楽曲情報とに基づいて、放送に含まれる楽曲と同じ楽曲の前記楽曲データが前記楽曲データ記憶手段に記憶されているか否かを判別する楽曲判別手段と、
前記楽曲判別手段により、放送に含まれる楽曲と同じ楽曲の前記楽曲データが前記楽曲データ記憶手段に記憶されていると判別された場合、放送に含まれる楽曲の再生時間と、前記楽曲データ記憶手段が記憶する前記楽曲データの楽曲の再生時間とを比較し、前記楽曲データ記憶手段が記憶する前記楽曲データの楽曲の再生時間の方が長い場合は、楽曲を含む放送に基づく音声の出力が終了した後、放送に基づく音声の出力を停止し、前記楽曲再生手段に前記楽曲データ記憶手段が記憶する前記楽曲データを再生させると共に、前記音声出力手段に前記楽曲データに基づく音声を出力させる楽曲切替手段と、
を備えることを特徴とする受信装置。
【請求項２】
前記楽曲情報取得手段は、
前記楽曲情報に加えて、放送に含まれる楽曲の再生時間を示す再生時間情報を取得し、
前記楽曲切替手段は、
前記楽曲情報取得手段が取得した前記再生時間情報に基づいて、放送に含まれる楽曲の再生時間を取得する
ことを特徴とする請求項１に記載の受信装置。
【請求項３】
前記楽曲切替手段は、
放送に含まれる楽曲について、前記音声出力手段により出力が開始されてから停止するまでの時間を計測することによって、放送に含まれる楽曲の再生時間を取得する
ことを特徴とする請求項１に記載の受信装置。
【請求項４】
前記楽曲切替手段は、
放送に基づく音声の出力に代えて、前記楽曲データに基づく音声の出力を行う際、前記音声出力手段による放送に基づく音声の出力が停止するときの楽曲の再生位置と、前記楽曲再生手段により前記楽曲データを再生するときの楽曲の再生位置とを合致させる
ことを特徴とする請求項１から３のいずれか１項に記載の受信装置。
【請求項５】
情報を報知する報知手段をさらに備え、
前記楽曲切替手段は、
放送に含まれる楽曲の再生時間より、前記楽曲データ記憶手段が記憶する前記楽曲データの楽曲の再生時間の方が長い場合、前記報知手段に、放送に含まれる楽曲と同一の楽曲の前記楽曲データが記憶されていることを報知させることを特徴とする請求項１から４のいずれか１項に記載の受信装置。
【請求項６】
指示入力を受け付ける指示入力手段をさらに備え、
前記楽曲切替手段は、
前記報知手段に、放送に含まれる楽曲と同一の楽曲の前記楽曲データが記憶されていることを報知させた後、前記指示入力手段が、前記楽曲データ記憶手段が記憶する前記楽曲データの再生を指示する指示入力を受け付けた場合に、放送に基づく音声の出力に代えて、前記楽曲データに基づく音声の出力を行う
ことを特徴とする請求項５に記載の受信装置。
【請求項７】
前記放送受信手段により受信する放送に基づく録音放送データを記憶可能な録音放送記憶手段と、前記録音放送記憶手段が記憶する前記録音放送データを再生する録音放送再生手段とをさらに備え、
前記楽曲切替手段は、
放送に基づく音声の出力に代えて、前記楽曲データに基づく音声の出力を行う場合、放送に基づく音声の出力を停止した後、前記放送受信手段により受信する放送に基づく前記録音放送データの前記録音放送記憶手段への記憶を開始し、前記楽曲再生手段による前記楽曲データの再生が終了した後、前記録音放送再生手段に、前記録音放送記憶手段に記憶した前記録音放送データを再生させると共に、前記音声出力手段に前記録音放送データに基づく音声を出力させる
ことを特徴とする請求項１から６のいずれか１項に記載の受信装置。
【請求項８】
放送を受信する放送受信手段と、
楽曲データと、楽曲の識別に用いることが可能な楽曲情報とを対応付けて記憶する外部装置と通信する通信手段と、
前記外部装置が記憶する前記楽曲データを再生する楽曲再生手段と、
前記放送受信手段が受信する放送に基づく音声を出力することが可能であり、また、前記楽曲再生手段が再生する前記楽曲データに基づく音声を出力することが可能な音声出力手段と、
前記放送受信手段により受信する楽曲を含む放送について、前記楽曲情報を取得する楽曲情報取得手段と、
前記放送受信手段により楽曲を含む放送を受信し、受信した楽曲を含む放送を前記音声出力手段により出力する場合に、前記外部装置と通信し、前記楽曲情報取得手段により取得された前記楽曲情報と、前記外部装置が記憶する前記楽曲情報とに基づいて、放送に含まれる楽曲と同じ楽曲の前記楽曲データが前記外部装置に記憶されているか否かを判別する楽曲判別手段と、
前記楽曲判別手段により、放送に含まれる楽曲と同じ楽曲の前記楽曲データが前記外部装置に記憶されていると判別された場合、放送に含まれる楽曲の再生時間と、前記外部装置が記憶する前記楽曲データの楽曲の再生時間とを比較し、前記外部装置が記憶する前記楽曲データの楽曲の再生時間の方が長い場合は、楽曲を含む放送に基づく音声の出力が終了した後、放送に基づく音声の出力を停止し、前記楽曲再生手段に前記外部装置が記憶する前記楽曲データを再生させると共に、前記音声出力手段に前記楽曲データに基づく音声を出力させる楽曲切替手段と、
を備えることを特徴とする受信装置。
【請求項９】
楽曲データと、楽曲の識別に用いることが可能な楽曲情報とを対応付けて記憶し、
楽曲を含む放送を受信し、
放送に含まれる楽曲の前記楽曲情報を取得し、
取得した前記楽曲情報と、記憶する前記楽曲情報とに基づいて、放送に含まれる楽曲と同じ楽曲の前記楽曲データを記憶しているか否かを判別し、
放送に含まれる楽曲と同じ楽曲の前記楽曲データを記憶している判別した場合、放送に含まれる楽曲の再生時間と、記憶する前記楽曲データの楽曲の再生時間とを比較し、
記憶する前記楽曲データの楽曲の再生時間の方が長い場合は、楽曲を含む放送に基づく音声の出力が終了した後、放送に基づく音声の出力を停止し、記憶する前記楽曲データを再生し、前記楽曲データに基づく音声を出力する
ことを特徴とする楽曲出力方法。
【発明の詳細な説明】
【技術分野】
【０００１】
本発明は、受信装置、及び、楽曲出力方法に関する。
【背景技術】
【０００２】
従来、放送を受信可能な受信装置（衛星デジタルラジオ受信機）について、放送に含まれる楽曲（曲）の出力に関する技術が知られている（例えば、特許文献１参照）。
【先行技術文献】
【特許文献】
【０００３】
【特許文献１】特開２００２−３４４３３５号公報
【発明の概要】
【発明が解決しようとする課題】
【０００４】
ここで、楽曲を含む放送について、楽曲の全てではなく、楽曲の冒頭を含む楽曲の一部が放送される場合がある。しかしながら、従来、このような場合に、対応する処理を行ってユーザーの利便性を向上する技術について開示はない。
本発明は、上述した事情に鑑みてなされたものであり、ユーザーの利便性を向上可能な受信装置、及び、楽曲出力方法を提供することを目的とする。
【課題を解決するための手段】
【０００５】
上記目的を達成するために、本発明は、放送を受信する放送受信手段と、楽曲データと、楽曲の識別に用いることが可能な楽曲情報とを対応付けて記憶する楽曲データ記憶手段と、前記楽曲データ記憶手段が記憶する前記楽曲データを再生する楽曲再生手段と、前記放送受信手段が受信する放送に基づく音声を出力することが可能であり、また、前記楽曲再生手段が再生する前記楽曲データに基づく音声を出力することが可能な音声出力手段と、前記放送受信手段により受信する楽曲を含む放送について、前記楽曲情報を取得する楽曲情報取得手段と、前記放送受信手段により楽曲を含む放送を受信し、受信した楽曲を含む放送を前記音声出力手段により出力する場合に、前記楽曲情報取得手段により取得された前記楽曲情報と、前記楽曲データ記憶手段が記憶する前記楽曲情報とに基づいて、放送に含まれる楽曲と同じ楽曲の前記楽曲データが前記楽曲データ記憶手段に記憶されているか否かを判別する楽曲判別手段と、前記楽曲判別手段により、放送に含まれる楽曲と同じ楽曲の前記楽曲データが前記楽曲データ記憶手段に記憶されていると判別された場合、放送に含まれる楽曲の再生時間と、前記楽曲データ記憶手段が記憶する前記楽曲データの楽曲の再生時間とを比較し、前記楽曲データ記憶手段が記憶する前記楽曲データの楽曲の再生時間の方が長い場合は、楽曲を含む放送に基づく音声の出力が終了した後、放送に基づく音声の出力を停止し、前記楽曲再生手段に前記楽曲データ記憶手段が記憶する前記楽曲データを再生させると共に、前記音声出力手段に前記楽曲データに基づく音声を出力させる楽曲切替手段と、を備えることを特徴とする。
【０００６】
また、本発明は、前記楽曲情報取得手段は、前記楽曲情報に加えて、放送に含まれる楽曲の再生時間を示す再生時間情報を取得し、前記楽曲切替手段は、前記楽曲情報取得手段が取得した前記再生時間情報に基づいて、放送に含まれる楽曲の再生時間を取得することを特徴とする。
【０００７】
また、本発明は、前記楽曲切替手段は、放送に含まれる楽曲について、前記音声出力手段により出力が開始されてから停止するまでの時間を計測することによって、放送に含まれる楽曲の再生時間を取得することを特徴とする。
【０００８】
また、本発明は、前記楽曲切替手段は、放送に基づく音声の出力に代えて、前記楽曲データに基づく音声の出力を行う際、前記音声出力手段による放送に基づく音声の出力が停止するときの楽曲の再生位置と、前記楽曲再生手段により前記楽曲データを再生するときの楽曲の再生位置とを合致させることを特徴とする。
【０００９】
また、本発明は、情報を報知する報知手段をさらに備え、前記楽曲切替手段は、放送に含まれる楽曲の再生時間より、前記楽曲データ記憶手段が記憶する前記楽曲データの楽曲の再生時間の方が長い場合、前記報知手段に、放送に含まれる楽曲と同一の楽曲の前記楽曲データが記憶されていることを報知させることを特徴とする。
【００１０】
また、本発明は、指示入力を受け付ける指示入力手段をさらに備え、前記楽曲切替手段は、前記報知手段に、放送に含まれる楽曲と同一の楽曲の前記楽曲データが記憶されていることを報知させた後、前記指示入力手段が、前記楽曲データ記憶手段が記憶する前記楽曲データの再生を指示する指示入力を受け付けた場合に、放送に基づく音声の出力に代えて、前記楽曲データに基づく音声の出力を行うことを特徴とする。
【００１１】
また、本発明は、前記放送受信手段により受信する放送に基づく録音放送データを記憶可能な録音放送記憶手段と、前記録音放送記憶手段が記憶する前記録音放送データを再生する録音放送再生手段とをさらに備え、前記楽曲切替手段は、放送に基づく音声の出力に代えて、前記楽曲データに基づく音声の出力を行う場合、放送に基づく音声の出力を停止した後、前記放送受信手段により受信する放送に基づく前記録音放送データの前記録音放送記憶手段への記憶を開始し、前記楽曲再生手段による前記楽曲データの再生が終了した後、前記録音放送再生手段に、前記録音放送記憶手段に記憶した前記録音放送データを再生させると共に、前記音声出力手段に前記録音放送データに基づく音声を出力させることを特徴とする。
【００１２】
また、上記目的を達成するために、本発明は、放送を受信する放送受信手段と、楽曲データと、楽曲の識別に用いることが可能な楽曲情報とを対応付けて記憶する外部装置と通信する通信手段と、前記外部装置が記憶する前記楽曲データを再生する楽曲再生手段と、前記放送受信手段が受信する放送に基づく音声を出力することが可能であり、また、前記楽曲再生手段が再生する前記楽曲データに基づく音声を出力することが可能な音声出力手段と、前記放送受信手段により受信する楽曲を含む放送について、前記楽曲情報を取得する楽曲情報取得手段と、前記放送受信手段により楽曲を含む放送を受信し、受信した楽曲を含む放送を前記音声出力手段により出力する場合に、前記外部装置と通信し、前記楽曲情報取得手段により取得された前記楽曲情報と、前記外部装置が記憶する前記楽曲情報とに基づいて、放送に含まれる楽曲と同じ楽曲の前記楽曲データが前記外部装置に記憶されているか否かを判別する楽曲判別手段と、前記楽曲判別手段により、放送に含まれる楽曲と同じ楽曲の前記楽曲データが前記外部装置に記憶されていると判別された場合、放送に含まれる楽曲の再生時間と、前記外部装置が記憶する前記楽曲データの楽曲の再生時間とを比較し、前記外部装置が記憶する前記楽曲データの楽曲の再生時間の方が長い場合は、楽曲を含む放送に基づく音声の出力が終了した後、放送に基づく音声の出力を停止し、前記楽曲再生手段に前記外部装置が記憶する前記楽曲データを再生させると共に、前記音声出力手段に前記楽曲データに基づく音声を出力させる楽曲切替手段と、を備えることを特徴とする。
【００１３】
また、上記目的を達成するために、本発明は、楽曲データと、楽曲の識別に用いることが可能な楽曲情報とを対応付けて記憶し、楽曲を含む放送を受信し、放送に含まれる楽曲の前記楽曲情報を取得し、取得した前記楽曲情報と、記憶する前記楽曲情報とに基づいて、放送に含まれる楽曲と同じ楽曲の前記楽曲データを記憶しているか否かを判別し、放送に含まれる楽曲と同じ楽曲の前記楽曲データを記憶している判別した場合、放送に含まれる楽曲の再生時間と、記憶する前記楽曲データの楽曲の再生時間とを比較し、記憶する前記楽曲データの楽曲の再生時間の方が長い場合は、楽曲を含む放送に基づく音声の出力が終了した後、放送に基づく音声の出力を停止し、記憶する前記楽曲データを再生し、前記楽曲データに基づく音声を出力することを特徴とする。
【発明の効果】
【００１４】
本発明によれば、ユーザーの利便性を向上できる。
【図面の簡単な説明】
【００１５】
【図１】第１実施形態に係る受信装置の機能的構成を示すブロック図。
【図２】楽曲データベースのレコードが有する情報を示す図。
【図３】受信装置の動作を示すフローチャート。
【図４】受信装置の動作を示すフローチャート。
【図５】タッチパネルに表示されるユーザーインターフェースの一例を示す図。
【図６】受信装置の動作を示すフローチャート。
【図７】タッチパネルに表示されるユーザーインターフェースの一例を示す図。
【図８】受信装置の動作を示すフローチャート。
【図９】受信装置の動作を示すフローチャート。
【図１０】第２実施形態に係る受信装置の機能的構成を示すブロック図。
【発明を実施するための形態】
【００１６】
以下、図面を参照して本発明の実施形態について説明する。
＜第１実施形態＞
図１は、本実施形態に係る受信装置１の機能的構成を示すブロック図である。
受信装置１は、車両に搭載された装置であり、少なくとも以下の機能を有する。すなわち、受信装置１は、デジタルラジオ放送（放送）を受信し、受信したデジタルラジオ放送を音声出力する機能、及び、楽曲データを記憶し、楽曲データを再生し、楽曲データに記録された楽曲を音声出力する機能を有する。楽曲データは、楽曲が記録された音声データである。
【００１７】
図１に示すように、受信装置１は、制御部１０と、記憶部１１（楽曲データ記憶手段）と、バッファー１２（録音放送記憶手段）と、タッチパネル１３（報知手段、指示入力手段。）と、放送受信部１４（放送受信手段）と、楽曲再生部１５（楽曲再生手段）と、録音放送再生部１６（録音放送再生手段）と、オーディオ信号切替部１７と、音声出力部１８（音声出力手段）とを備える。
【００１８】
制御部１０は、ＣＰＵや、ＲＯＭ、ＲＡＭ、ＡＳＩＣ、信号処理回路等を備え、受信装置１の各部を制御する。制御部１０は、例えばＣＰＵが、ＲＯＭに記憶されたプログラムをＲＡＭに読み出して処理を実行し、また例えばＡＳＩＣに実装された機能により処理を実行し、また例えば信号処理回路で信号処理を行って処理を実行する等、ハードウェアとソフトウェアとが協働して処理を実行する。
制御部１０は、機能ブロックとして、楽曲情報取得部１０ａと、楽曲判別部１０ｂと、楽曲切替部１０ｃとを備える。これら機能ブロックは、ハードウェアとソフトウェアとが協働して処理を実行する。これら機能ブロックの処理については後述する。
【００１９】
記憶部１１は、ＥＥＰＲＯＭや、ハードディスク等の不揮発性メモリーを備え、各種データを記憶する。記憶部１１は、楽曲データベース１１ａを記憶する。
図２は、楽曲データベース１１ａの１件のレコードの内容を模式的に示す図である。
記憶部１１には、楽曲データを、１又は複数、記憶することができる。そして、楽曲データベース１１ａは、楽曲データごとにレコードを有する。図２に示すように、楽曲データベース１１ａの１件のレコードは、アーティスト名情報と、曲名情報と、楽曲データ再生時間情報と、楽曲データとを有する。
アーティスト名情報は、楽曲を提供するアーティストの名称を示す情報である。曲名情報は、楽曲の曲名を示す情報である。楽曲データ再生時間情報は、楽曲データに基づいて、楽曲データに記録された楽曲を再生した場合において、楽曲の開始から終了するまでに要する時間（以下、「楽曲データ再生時間」という。）を示す情報である。楽曲データは、上述したように、楽曲が記録された音声データである。楽曲データは、一例として、音声ファイルフォーマットがＭＰ３の音声データである。
楽曲データベース１１ａにおいて、１の楽曲に対応するレコードは、当該１の楽曲を提供するアーティストの名称を示すアーティスト名情報と、当該１の楽曲の曲名を示す曲名情報と、当該１の楽曲の楽曲データ再生時間を示す楽曲データ再生時間情報と、当該１の楽曲の楽曲データとを有する。
楽曲のそれぞれは、アーティスト名情報と、曲名情報との組み合わせにより、一意に識別できる。これを踏まえ、アーティスト名情報と、曲名情報との組み合わせは、「楽曲の識別に用いることが可能な楽曲情報」に相当する。
【００２０】
バッファー１２は、ＲＡＭ等の揮発性メモリーに形成された記憶領域である。制御部１０は、後述する所定の場合に、バッファー１２に、録音放送データを記憶する。録音放送データについては、後述する。
【００２１】
タッチパネル１３は、液晶表示パネルや、有機ＥＬパネル等の表示パネルを備え、制御部１０の制御で、表示パネルに画像を表示する。
また、タッチパネル１３は、表示パネルに重ねて配置されたタッチセンサーを備え、ユーザーによるタッチパネル１３に対する操作を検出し、制御部１０に出力する。制御部１０は、タッチパネル１３からの入力に基づいて、ユーザーによるタッチパネル１３に対する操作に対応する処理を実行する。
タッチパネル１３は、表示パネルに画像を表示して情報を報知する「報知手段」、及び、ユーザーのタッチパネル１３に対する操作（指示入力）を受け付ける指示入力手段として機能する。
【００２２】
放送受信部１４は、アンテナ１４ａと、チューナー１４ｂと、Ａ／Ｄコンバーター１４ｃと、デコーダー１４ｄとを備え、デジタルラジオ放送を受信する。
アンテナ１４ａは、デジタルラジオ放送に係る電波を受信する。
チューナー１４ｂは、アンテナ１４ａが受信した電波から所定のチャンネルのＲＦ（Radio Frequency）信号を抽出し、抽出したＲＦ信号を周波数変換して、フィルタリング等の信号処理に適したＩＦ（Intermediate Frequency）信号を生成する。チューナー１４ｂは、生成したＩＦ信号を増幅し、Ａ／Ｄコンバーター１４ｃに出力する。
なお、制御部１０は、図示しないＰＬＬ回路を介して、チューナー１４ｂを制御し、チャンネルの設定等を行う。
Ａ／Ｄコンバーター１４ｃは、チューナー１４ｂから入力されたＩＦ信号を、Ａ／Ｄ変換し、デコーダー１４ｄに出力する。
【００２３】
デコーダー１４ｄは、Ａ／Ｄコンバーター１４ｃから入力されたＩＦ信号を復調し、復調して得られた信号をデコードして所定の誤り訂正処理を行い、デジタルラジオ放送のオーディオ信号（以下、「デジタルラジオ放送オーディオ信号」という。）と、付加データに分離する。
デコーダー１４ｄは、分離したデジタルラジオ放送オーディオ信号を、後述するオーディオ信号切替部１７に出力する。また、デコーダー１４ｄは、分離した付加データを、制御部１０に出力する。
【００２４】
楽曲再生部１５は、記憶部１１が記憶する楽曲データを再生する。具体的には、楽曲再生部１５は、制御部１０から入力される楽曲データに基づいて、復調処理を含む信号処理を実行してオーディオ信号（以下、「楽曲データオーディオ信号」という。）を生成し、後述するオーディオ信号切替部１７に出力する。制御部１０は、楽曲データに係る楽曲を再生する場合、記憶部１１の楽曲データベース１１ａから楽曲データを読み出して、楽曲再生部１５に出力する。
【００２５】
録音放送再生部１６は、バッファー１２が記憶する録音放送データ（後述）を再生する。具体的には、録音放送再生部１６は、制御部１０から入力される録音放送データに基づいて、オーディオ信号（以下、「録音放送データオーディオ信号」という。）を生成し、後述するオーディオ信号切替部１７に出力する。制御部１０は、録音放送データを再生する場合、バッファー１２から録音放送データを読み出して、録音放送再生部１６に出力する。
【００２６】
オーディオ信号切替部１７は、制御部１０の制御で、デコーダー１４ｄから入力されるデジタルラジオ放送オーディオ信号と、楽曲再生部１５から入力される楽曲データオーディオ信号と、録音放送再生部１６から入力される放送データオーディオ信号のうち、いずれかのオーディオ信号を後述する音声出力部１８のＤ／Ａコンバーター１８ａに出力する。
【００２７】
音声出力部１８は、Ｄ／Ａコンバーター１８ａと、アンプ１８ｂと、スピーカー１８ｃとを備え、放送受信部１４が受信した放送に基づく音声を出力し、また、楽曲再生部１５が再生する楽曲データに基づく音声を出力し、また、録音放送再生部１６が再生する録音放送データに基づく音声を出力する。。
Ｄ／Ａコンバーター１８ａは、オーディオ信号切替部１７から入力されたオーディオ信号をＤ／Ａ変換した後、アンプ１８ｂに出力する。
アンプ１８ｂは、入力されたオーディオ信号を増幅し、スピーカー１８ｃに出力する。
スピーカー１８ｃは、アンプ１８ｂから入力されたオーディオ信号に基づいて、音声を出力する。
【００２８】
ここで、デジタルラジオ放送には、楽曲が含まれる場合がある。デジタルラジオ放送に楽曲が含まれるとは、放送局が、楽曲を音声出力させることを目的として、楽曲の音声データを重畳した電波を送信することを意味する。受信装置１は、楽曲を含むデジタルラジオ放送を受信した場合、楽曲を音声として出力する。
そして、デジタルラジオ放送に楽曲が含まれる場合、デジタルラジオ放送の放送局は、当該楽曲の音声データが重畳された電波の送信を開始するタイミングで、当該楽曲に関する情報を有する付加データが重畳された電波を送信する。この場合、受信装置１は、放送受信部１４の機能により、楽曲の音声データが重畳された電波の受信を開始するタイミングで、楽曲に関する情報を有する付加データが重畳された電波を受信し、受信した電波に基づくＩＦ信号から分離された付加データを取得する。
付加データが有する１の楽曲に関する情報は、少なくとも、当該１の楽曲に係るアーティスト名情報、及び、当該１の楽曲に係る曲名情報を含む。
また、付加データが有する１の楽曲に関する情報は、当該１の楽曲に係る楽曲放送再生時間情報（再生時間情報）を含む場合もあれば、含まない場合もある。楽曲放送再生時間情報とは、楽曲を含むデジタルラジオ放送を受信し、音声出力する場合において、楽曲の音声出力を開始してから終了するまでに要する時間（以下、「楽曲放送再生時間」という。）である。
以下、楽曲に関する情報を有する付加データを、「楽曲付加データ」という。
【００２９】
また、デジタルラジオ放送に楽曲が含まれる場合において、デジタルラジオ放送には、楽曲の全てではなく、楽曲の冒頭を含む楽曲の一部が含まれる場合がある。例えば、楽曲が、前奏部、１番、２番、３番、終奏部という構成の場合において、デジタルラジオ放送には、楽曲の「前奏部、１番、２番」の部分が含まれ、楽曲の「３番、終奏部」の部分が含まれない場合がある。この場合、受信装置１は、デジタルラジオ放送の受信に応じて、楽曲の全てではなく、楽曲の「前奏部、１番、２番」の部分を音声出力することになる。デジタルラジオ放送を含むラジオ放送では、ラジオ放送に基づいて楽曲が音声出力される時間を短縮するため、上記のように、ラジオ放送に、楽曲の全てではなく、楽曲の冒頭を含む楽曲の一部が含まれる場合が少なからずある。
【００３０】
ここで、デジタルラジオ放送に楽曲の一部が含まれる場合において、デジタルラジオ放送に含まれる楽曲を聴取するユーザー（本例の場合は、車両の搭乗者。）は、楽曲の一部ではなく、楽曲の全てを聴取することを希望する場合がある。例えば、ユーザーは、自身のお気に入りの楽曲が受信装置１により音声出力され、当該楽曲を聴取した場合に、当該楽曲の一部ではなく、全てを聴取することを希望する場合がある。
このような場合があることを踏まえ、受信装置１は、以下の処理を実行し、ユーザーの利便性を向上する。
【００３１】
図３のフローチャートＦＡは、受信装置１の動作を示すフローチャートである。
なお、受信装置１は、動作モードが第１モードの場合に、フローチャートＦＡが示す処理を実行する。ユーザーは、所定の手段で、受信装置１の動作モードを第１モードとし、受信装置１にフローチャートＦＡで示す処理を実行させることができる。
また、フローチャートＦＡの開始時点では、受信装置１は、デジタルラジオ放送を受信し、当該放送に基づく音声を出力した状態である。すなわち、放送受信部１４が、ユーザーが選択したチャンネルのデジタルラジオ放送を受信し、受信したデジタルラジオ放送に基づくデジタルラジオ放送オーディオ信号をオーディオ信号切替部１７に出力し、オーディオ信号切替部１７が、放送受信部１４から入力されたデジタルラジオ放送オーディオ信号を音声出力部１８に出力し、音声出力部１８が、デジタルラジオ放送オーディオ信号に基づく音声を出力している状態である。
【００３２】
図３のフローチャートＦＡに示すように、受信装置１の制御部１０の楽曲切替部１０ｃは、楽曲を含むデジタルラジオ放送に係る電波の受信が開始されたか否かを監視する（ステップＳＡ１）。
ステップＳＡ１において、楽曲切替部１０ｃは、以下の処理を実行することによって、楽曲を含むデジタルラジオ放送に係る電波の受信が開始された場合に、そのことを検出する。すなわち、楽曲切替部１０ｃは、デコーダー１４ｄから楽曲付加データの入力があった場合に、楽曲を含むデジタルラジオ放送に係る電波の受信が開始されたと判別する。上述したように、デジタルラジオ放送に楽曲が含まれる場合、デジタルラジオ放送の放送局は、当該楽曲の音声データが重畳された電波の送信を開始するタイミングで、楽曲付加データ（楽曲に関する情報を有する付加データ）が重畳された電波を送信する。これを踏まえ、上述した処理で楽曲を含むデジタルラジオ放送に係る電波の受信が開始されたことを検出することによって、適切に、楽曲を含むデジタルラジオ放送に係る電波の受信が開始されたことを検出できる。
【００３３】
ステップＳＡ１において、楽曲切替部１０ｃにより楽曲を含むデジタルラジオ放送に係る電波の受信が開始されたことが検出された場合（ステップＳＡ１）、楽曲情報取得部１０ａは、楽曲情報取得処理を実行する（ステップＳＡ２）。
詳述すると、楽曲情報取得処理において、楽曲情報取得部１０ａは、デコーダー１４ｄから入力された楽曲付加データを取得し、楽曲付加データが有するアーティスト名情報、及び、曲名情報を取得する。上述したように、アーティスト名情報と、曲名情報との組み合わせは、「楽曲情報」に相当する。
【００３４】
次いで、楽曲判別部１０ｂは、楽曲判別処理を実行する（ステップＳＡ３）。
楽曲判別処理は、デジタルラジオ放送に含まれる楽曲と同じ楽曲の楽曲データが記憶部１１に記憶されているか否か（楽曲データベース１１ａに登録されているか否か。）を判別する処理である。
ステップＳＡ３の楽曲判別処理において、楽曲判別部１０ｂは、ステップＳＡ２で楽曲情報取得部１０ａが取得したアーティスト名情報の値と曲名情報の値との組み合わせと、同一の値の組み合わせからなるアーティスト名情報と曲名情報とを有するレコードが、楽曲データベース１１ａに登録されているか否かを判別する。
楽曲情報取得部１０ａが取得したアーティスト名情報の値と曲名情報の値との組み合わせと、同一の値の組み合わせからなるアーティスト名情報と曲名情報とを有するレコードが楽曲データベース１１ａに登録されている場合は、楽曲データベース１１ａに、デジタルラジオ放送に含まれる楽曲と同一の楽曲の楽曲データが登録された状態である。
楽曲情報取得部１０ａが取得したアーティスト名情報の値と曲名情報の値との組み合わせと同一の値の組み合わせからなるアーティスト名情報と曲名情報とを有するレコードが、楽曲データベース１１ａに登録されている場合、楽曲判別部１０ｂは、デジタルラジオ放送に含まれる楽曲と同じ楽曲の楽曲データが記憶部１１に記憶されていると判別する。
一方、楽曲情報取得部１０ａが取得したアーティスト名情報の値と曲名情報の値との組み合わせと同一の値の組み合わせからなるアーティスト名情報と曲名情報とを有するレコードが、楽曲データベース１１ａに登録されていない場合、楽曲判別部１０ｂは、デジタルラジオ放送に含まれる楽曲と同じ楽曲の楽曲データが記憶部１１に記憶されていないと判別する。
【００３５】
以下の説明では、楽曲データベース１１ａのレコードのうち、楽曲情報取得部１０ａが取得したアーティスト名情報の値と曲名情報の値との組み合わせと同一の値の組み合わせからなるアーティスト名情報と曲名情報とを有するレコードを、「対応レコード」という。対応レコードは、受信装置１が受信するデジタルラジオ放送に含まれる楽曲の楽曲データを有するレコードである。
【００３６】
次いで、楽曲切替部１０ｃは、楽曲判別部１０ｂにより、デジタルラジオ放送に含まれる楽曲と同じ楽曲の楽曲データが記憶部１１に記憶されていると判別されたか否かを判別する（ステップＳＡ４）。
楽曲判別部１０ｂにより、デジタルラジオ放送に含まれる楽曲と同じ楽曲の楽曲データが記憶部１１に記憶されていると判別されなかった場合（ステップＳＡ４：ＮＯ）、楽曲切替部１０ｃは、処理手順をステップＳＡ１へ移行する。
【００３７】
楽曲判別部１０ｂにより、デジタルラジオ放送に含まれる楽曲と同じ楽曲の楽曲データが記憶部１１に記憶されていると判別された場合（ステップＳＡ４：ＹＥＳ）、楽曲切替部１０ｃは、楽曲付加データに、楽曲放送再生時間情報が含まれているか否かを判別する（ステップＳＡ５）。上述したように、楽曲付加データには、楽曲放送再生時間情報が含まれる場合もあれば、含まれない場合もある。
楽曲付加データに、楽曲放送再生時間情報が含まれる場合（ステップＳＡ５：ＹＥＳ）、楽曲切替部１０ｃは、第１処理を実行する（ステップＳＡ６）。一方、楽曲付加データに、楽興放送再生時間情報が含まれない場合（ステップＳＡ５：ＮＯ）、楽曲切替部１０ｃは、第２処理を実行する（ステップＳＡ７）。
以下、第１処理、及び、第２処理について、順次、説明する。
【００３８】
＜第１処理＞
図４のフローチャートＦＢは、第１処理の詳細を示すフローチャートである。
第１処理において、楽曲切替部１０ｃは、楽曲付加データが有する楽曲放送再生時間情報を取得する（ステップＳＢ１）。
次いで、楽曲切替部１０ｃは、対応レコードが有する楽曲データ再生時間情報を取得する（ステップＳＢ２）。
次いで、楽曲切替部１０ｃは、ステップＳＢ１で取得した楽曲放送再生時間情報が示す時間の長さと、ステップＳＢ２で取得した楽曲データ再生時間情報が示す時間の長さとを比較し、楽曲放送再生時間情報が示す時間の長さの方が、楽曲データ再生時間情報が示す時間の長さよりも、予め定められた「所定時間」以上、短いか否かを判別する（ステップＳＢ３）。
所定時間は、例えば、３０秒である。所定時間が３０秒の場合、楽曲放送再生時間情報が示す時間の長さは、楽曲データ再生時間情報が示す時間の長さよりも、３０秒以上、短いことになる。
ステップＳＢ３の処理は、以下のことを目的として実行される。すなわち、ステップＳＢ３の処理は、デジタルラジオ放送に、楽曲の全てではなく、楽曲の一部が含まれる状態か否かを判別することを目的とする。楽曲データには基本的に楽曲の全てが記録されるため、デジタルラジオ放送に、楽曲の全てではなく、楽曲の一部が含まれる状態の場合、楽曲放送再生時間情報が示す時間の長さの方が、楽曲データ再生時間情報が示す時間の長さよりも短い状態となる。なお、所定時間は、ステップＳＢ３の処理が、デジタルラジオ放送に、楽曲の全てではなく、楽曲の一部が含まれる状態か否かを判別することを目的とすることを踏まえた適切な値とされる。
【００３９】
なお、本実施形態では、ステップＳＢ３において、楽曲切替部１０ｃは、楽曲放送再生時間情報が示す時間の長さの方が、楽曲データ再生時間情報が示す時間の長さよりも、予め定められた「所定時間」以上、短いか否かを判別する。一方で、ステップＳＢ３において、楽曲切替部１０ｃが、楽曲放送再生時間情報が示す時間の長さの方が、楽曲データ再生時間情報が示す時間の長さよりも短いか否かを判別する構成でもよい。この構成でも、上述した目的を達成できる。このことは、後述するステップＳＣ６についても同様である。
【００４０】
楽曲放送再生時間情報が示す時間の長さの方が、楽曲データ再生時間情報が示す時間の長さよりも、予め定められた「所定時間」以上、短くない場合（ステップＳＢ３：ＮＯ）、楽曲切替部１０ｃは、第１処理を終了し、処理手順をステップＳＡ１へ戻す。
楽曲放送再生時間情報が示す時間の長さの方が、楽曲データ再生時間情報が示す時間の長さよりも、予め定められた「所定時間」以上、短い場合（ステップＳＢ３：ＹＥＳ）、楽曲切替部１０ｃは、自動切替設定が有効か否かを判別する（ステップＳＢ４）。自動切替設定とは、後述する切替処理を、ユーザーに問い合わせることなく、自動で実行するか否かに関する設定である。後に明らかとなるとおり、楽曲切替部１０ｃは、自動切替設定が有効の場合、後述する切替処理を自動で実行し、自動切替設定が有効ではない場合、後述する切替処理を自動で実行せず、実行するか否かについてユーザーに問い合わせる。
ユーザーは、所定の手段で、自動切替設定の有効／無効を切り替えることができる。
【００４１】
自動切替設定が有効ではない場合（ステップＳＢ４：ＮＯ）、楽曲切替部１０ｃは、以下の事項をユーザーに問い合わせるユーザーインターフェースＵＩ１を、タッチパネル１３に表示させる（ステップＳＢ５）。すなわち、楽曲切替部１０ｃは、デジタルラジオ放送に基づく楽曲の音声出力が、楽曲の途中で終了するため、デジタルラジオ放送に基づく楽曲の音声出力が終了した後、楽曲の続きを、受信装置１が記憶する楽曲データに基づいて音声出力するか否かを問い合わせるユーザーインターフェースＵＩ１を、タッチパネル１３に表示させる。ユーザーは、ユーザーインターフェースＵＩ１が表示されたタッチパネル１３に対して、所定の操作を行うことにより、楽曲の続きを、受信装置１が記憶する楽曲データに基づいて音声出力するか否かを選択することができる。
【００４２】
図５は、ユーザーインターフェースＵＩ１の一例を示す図である。
図５で例示するユーザーインターフェースＵＩ１には、デジタルラジオ放送としてユーザーが聴取している楽曲が、楽曲の途中で終了することを示す情報、及び、デジタルラジオ放送として聴取している楽曲の楽曲データが受信装置１に記憶されていることを示す情報が表示される。さらに、図５で例示するユーザーインターフェースＵＩ１には、デジタルラジオ放送に係る楽曲が途中で終了した後、受信装置１が記憶する楽曲データに基づいて、楽曲の続きを聴取するか否かを問い合わせる情報が表示される。さらに、図５で例示するユーザーインターフェースＵＩ１には、楽曲データに基づいて楽曲の続きを聴取するか否かを選択する操作ボタンが表示される。
ユーザーは、操作ボタンを操作して、楽曲データに基づいて楽曲の続きを聴取するか否か（楽曲の続きを、受信装置１が記憶する楽曲データに基づいて音声出力するか否か。）を選択する。
【００４３】
ユーザーインターフェースＵＩ１を表示した後、楽曲切替部１０ｃは、ユーザーにより、楽曲の続きを受信装置１が記憶する楽曲データに基づいて音声出力することが選択されたか否かを判別する（ステップＳＢ６）。
ユーザーにより、楽曲の続きを受信装置１が記憶する楽曲データに基づいて音声出力することが選択されなかった場合（ステップＳＢ６：ＮＯ）、楽曲切替部１０ｃは、第１処理を終了し、処理手順をステップＳＡ１へ戻す。
【００４４】
ユーザーにより、楽曲の続きを受信装置１が記憶する楽曲データに基づいて音声出力することが選択された場合（ステップＳＢ６：ＹＥＳ）、楽曲切替部１０ｃは、処理手順をステップＳＢ７へ移行する。
【００４５】
一方、自動切替設定が有効の場合（ステップＳＢ４：ＹＥＳ）、楽曲切替部１０ｃは、処理手順をステップＳＢ７へ移行する。
【００４６】
ステップＳＢ７において、楽曲切替部１０ｃは、デジタルラジオ放送に含まれる楽曲の音声出力が終了したか否かを監視する。
例えば、ステップＳＢ７において、楽曲切替部１０ｃは、放送局が、楽曲の音声データの送信の終了に応じて、楽曲が終了したことを示す情報を有する付加データを送信する場合は、当該付加データが、デコーダー１４ｄから入力されたことを検出することにより、デジタルラジオ放送に含まれる楽曲の音声出力が終了したことを検出する。
また例えば、ステップＳＢ７において、楽曲切替部１０ｃは、異なる楽曲が連続してデジタルラジオ放送に含まれる場合において、放送局が、楽曲ごとに、楽曲の音声データの送信の開始時に楽曲付加データを送信する場合は、新たな楽曲付加データがデコーダー１４ｄから入力されたことを検出することにより、デジタルラジオ放送に含まれる楽曲の音声出力が終了したことを検出する。
また例えば、ステップＳＢ７において、楽曲切替部１０ｃは、デジタルラジオ放送に含まれる楽曲の音声出力を開始してから、楽曲付加データが有する楽曲放送再生時間情報が示す時間が経過した場合、デジタルラジオ放送に含まれる楽曲の音声出力が終了したと判別する。
また例えば、ステップＳＢ７において、楽曲切替部１０ｃは、デコーダー１４ｄが出力するデジタルラジオ放送オーディオ信号を取得し、当該信号を分析して、デジタルラジオ放送に含まれる楽曲の音声出力が終了したことを検出する。デジタルラジオ放送オーディオ信号の分析について、例えば、楽曲切替部１０ｃは、デジタルラジオ放送オーディオ信号が示す音声の特定の帯域の波形の状態や、特定の帯域の波形のピークのピッチ等を分析し、ドラムリズムパターンを抽出し、抽出したドラムリズムパターンの変化に基づいて、デジタルラジオ放送に含まれる楽曲の音声出力が終了したことを検出する。なお、例示したデジタルラジオ放送オーディオ信号を分析する手法は一例であり、既存の種々の技術を利用できる。
【００４７】
ステップＳＢ７において、デジタルラジオ放送に含まれる楽曲の音声出力が終了したことを検出した場合（ステップＳＢ７：ＹＥＳ）、楽曲切替部１０ｃは、第１処理を終了する。
【００４８】
＜第２処理＞
図６のフローチャートＦＣは、第２処理の詳細を示すフローチャートである。
第２処理において、楽曲切替部１０ｃは、デジタルラジオ放送に含まれる楽曲の音声出力の開始に応じて、楽曲の音声出力を開始してからの経過時間の計測を開始する（ステップＳＣ１）。
次いで、楽曲切替部１０ｃは、デジタルラジオ放送に含まれる楽曲の音声出力が終了したか否かを監視する（ステップＳＣ２）。
ステップＳＣ２において、デジタルラジオ放送に含まれる楽曲の音声出力が終了したことを検出した場合（ステップＳＣ２：ＹＥＳ）、楽曲切替部１０ｃは、経過時間の計測を停止し（ステップＳＣ３）、デジタルラジオ放送に含まれる楽曲の音声出力が開始されてから終了するまでの経過時間を示す経過時間情報を取得する（ステップＳＣ４）。
ステップＳＣ４で楽曲切替部１０ｃが取得した経過時間情報が示す経過時間は、楽曲放送再生時間に相当する。
【００４９】
次いで、楽曲切替部１０ｃは、対応レコードが有する楽曲データ再生時間情報を取得する（ステップＳＣ５）。
次いで、楽曲切替部１０ｃは、ステップＳＣ４で取得した経過時間情報が示す時間の長さと、ステップＳＣ５で取得した楽曲データ再生時間情報が示す時間の長さとを比較し、経過時間情報が示す時間の長さの方が、楽曲データ再生時間情報が示す時間の長さよりも、予め定められた「所定時間」以上、短いか否かを判別する（ステップＳＣ６）。
ステップＳＣ６の処理は、ステップＳＢ３の処理と同様のことを目的として実行される。
【００５０】
経過時間情報が示す時間の長さの方が、楽曲データ再生時間情報が示す時間の長さよりも、予め定められた「所定時間」以上、短くない場合（ステップＳＣ６：ＮＯ）、楽曲切替部１０ｃは、第２処理を終了し、処理手順をステップＳＡ１へ戻す。
経過時間情報が示す時間の長さの方が、楽曲データ再生時間情報が示す時間の長さよりも、予め定められた「所定時間」以上、短い場合（ステップＳＣ６：ＹＥＳ）、楽曲切替部１０ｃは、自動切替設定が有効か否かを判別する（ステップＳＣ７）。
【００５１】
自動切替設定が有効ではない場合（ステップＳＣ７：ＮＯ）、楽曲切替部１０ｃは、以下の事項をユーザーに問い合わせるユーザーインターフェースＵＩ２を、タッチパネル１３に表示させる（ステップＳＣ８）。すなわち、楽曲切替部１０ｃは、楽曲の続きを、受信装置１が記憶する楽曲データに基づいて音声出力するか否かを問い合わせるユーザーインターフェースＵＩ２を、タッチパネル１３に表示させる。ユーザーは、ユーザーインターフェースＵＩ２が表示されたタッチパネル１３に対して、所定の操作を行うことにより、楽曲の続きを、受信装置１が記憶する楽曲データに基づいて音声出力するか否かを選択することができる。
【００５２】
図７は、ユーザーインターフェースＵＩ２の一例を示す図である。
図７で例示するユーザーインターフェースＵＩ２には、デジタルラジオ放送としてユーザーが聴取している楽曲が、楽曲の途中で終了したことを示す情報、及び、デジタルラジオ放送として聴取している楽曲の楽曲データが受信装置１に記憶されていることを示す情報が表示される。さらに、図７で例示するユーザーインターフェースＵＩ２には、受信装置１が記憶する楽曲データに基づいて、楽曲の続きを聴取するか否かを問い合わせる情報が表示される。さらに、図７で例示するユーザーインターフェースＵＩ２には、楽曲データに基づいて楽曲の続きを聴取するか否かを選択する操作ボタンが表示される。
ユーザーは、操作ボタンを操作して、楽曲データに基づいて楽曲の続きを聴取するか否か（楽曲の続きを、受信装置１が記憶する楽曲データに基づいて音声出力するか否か。）を選択する。
【００５３】
ユーザーインターフェースＵＩ２を表示した後、楽曲切替部１０ｃは、ユーザーにより、楽曲の続きを受信装置１が記憶する楽曲データに基づいて音声出力することが選択されたか否かを判別する（ステップＳＣ９）。
ユーザーにより、楽曲の続きを受信装置１が記憶する楽曲データに基づいて音声出力することが選択されなかった場合（ステップＳＣ９：ＮＯ）、楽曲切替部１０ｃは、第２処理を終了し、処理手順をステップＳＡ１へ戻す。
【００５４】
ユーザーにより、楽曲の続きを受信装置１が記憶する楽曲データに基づいて音声出力することが選択された場合（ステップＳＣ９：ＹＥＳ）、楽曲切替部１０ｃは、第２処理を終了する。
【００５５】
一方、自動切替設定が有効の場合（ステップＳＣ７：ＹＥＳ）、楽曲切替部１０ｃは、第２処理を終了する。
【００５６】
以上、第１処理、及び、第２処理について説明した。
図３に示すように、楽曲切替部１０ｃは、ステップＳＡ６の第１処理を実行した後、処理手順をステップＳＡ８へ移行する。同様に、楽曲切替部１０ｃは、ステップＳＡ７の第２処理を実行した後、処理手順をステップＳＡ８へ移行する。
【００５７】
ステップＳＡ８において、楽曲切替部１０ｃは、切替処理を実行する。
図８のフローチャートＦＤは、切替処理の詳細を示すフローチャートである。
図８のフローチャートＦＤに示すように、切替処理において、楽曲切替部１０ｃは、第１処理を実行した場合は楽曲放送再生時間情報を取得し、第２処理を実行した場合は経過時間情報を取得する（ステップＳＤ１）。
次いで、楽曲切替部１０ｃは、ステップＳＤ１で取得した楽曲放送再生時間情報、又は、経過時間情報が示す時間に対応する再生位置を、楽曲データに基づく音声を出力するときの、楽曲の再生を開始する位置として特定する（ステップＳＤ２）。再生位置とは、楽曲について、楽曲の最初の位置を起点とした経過時間によって表される位置のことである。楽曲放送再生時間情報が示す時間に対応する再生位置とは、楽曲について、楽曲の最初の位置から、当該時間が経過した位置を意味する。経過時間情報が示す時間に対応する再生位置についても同様である。
ステップＳＤ２の処理は、「記憶部１１（楽曲データ記憶手段）が記憶する楽曲データを再生させて出力させる際、音声出力部１８（音声出力手段）による放送に基づく音声の出力が停止するときの楽曲の再生位置と、楽曲再生部１５（楽曲再生手段）により出力を開始するときの楽曲の再生位置とを合致させる」処理に相当する。
【００５８】
次いで、楽曲切替部１０ｃは、楽曲データベース１１ａを参照し、対応レコードが有する楽曲データを取得する（ステップＳＤ３）。ステップＳＤ３で楽曲切替部１０ｃが取得する楽曲データは、デジタルラジオ放送に含まれていた楽曲と同一の楽曲の楽曲データである。
次いで、楽曲切替部１０ｃは、ステップＳＤ３で取得した楽曲データについて、ステップＳＤ１で特定した再生位置から楽曲再生部１５による再生が実行されるように、楽曲データを編集し、編集後の楽曲データを、楽曲再生部１５に出力する（ステップＳＤ４）。ステップＳＤ４の処理に応じて、楽曲再生部１５により楽曲データの再生が実行され、楽曲再生部１５からオーディオ信号切替部１７に対して、再生位置を起点とした楽曲に対応する楽曲データオーディオ信号が出力される。
【００５９】
ステップＳＤ４の処理と同期して、楽曲切替部１０ｃは、オーディオ信号切替部１７に制御信号を出力して、オーディオ信号切替部１７が音声出力部１８へ出力するオーディオ信号を、デジタルラジオ放送オーディオ信号から、楽曲データオーディオ信号へと切り替える（ステップＳＤ５）。ステップＳＤ５の処理により、音声出力部１８が出力する音声が、デジタルラジオ放送に基づく音声から、楽曲データに基づく音声へと切り替わる。
ステップＳＤ５の処理後、楽曲切替部１０ｃは、切替処理を終了する。
【００６０】
図３のフローチャートＦＡに示すように、ステップＡ８で切替処理を実行した後、楽曲切替部１０ｃは、録音放送再生設定が有効か否かを判別する（ステップＳＡ９）。
録音放送再生設定とは、後述する録音放送再生処理を実行するか否かに関する設定である。後に明らかとなるとおり、楽曲切替部１０ｃは、録音放送再生処理が有効の場合、後述する録音放送再生処理を実行し、録音放送再生設定が有効ではない場合、後述する録音放送再生処理を実行しない。
ユーザーは、所定の手段で、録音放送再生設定の有効／無効を切り替えることができる。
【００６１】
録音放送再生設定が有効ではない場合（ステップＳＡ９：ＮＯ）、楽曲切替部１０ｃは、通常処理を実行する（ステップＳＡ１０）。通常処理において、楽曲切替部１０ｃは、編集後の楽曲データに記録された楽曲（ステップＳＤ２で特定した再生位置から開始される楽曲）の音声出力が終了したか否かを監視する。音声出力が終了した場合、楽曲切替部１０ｃは、オーディオ信号切替部１７に制御信号を出力し、オーディオ信号切替部１７が音声出力部１８へ出力するオーディオ信号を、楽曲データオーディオ信号から、デジタルラジオ放送オーディオ信号へと切り替える。これにより、音声出力部１８が出力する音声が、楽曲データに基づく音声から、デジタルラジオ放送に基づく音声へと切り替わる。
通常処理によれば、ユーザーは、楽曲データに基づいて、楽曲の全てを聴取した後、再び、リアルタイムでデジタルラジオ放送を視聴できる。
ステップＳＡ１０の処理後、楽曲切替部１０ｃは、処理手順をステップＳＡ１へ移行する。
【００６２】
録音放送再生設定が有効の場合（ステップＳＡ９：ＹＥＳ）、楽曲切替部１０ｃは、録音放送再生処理を実行する（ステップＳＡ１１）。
図９のフローチャートＦＥは、録音放送再生処理の詳細を示すフローチャートである。
図９のフローチャートＦＥに示すように、録音放送再生処理において、楽曲切替部１０ｃは、デコーダー１４ｄに制御信号を出力し、デコーダー１４ｄから制御部１０に対して、デジタルラジオ放送オーディオ信号を出力させる（ステップＳＥ１）。
次いで、制御部１０は、デコーダー１４ｄから入力されるデジタルラジオ放送オーディオ信号のバッファー１２へのバッファリング（バッファー１２への記憶。）を開始する（ステップＳＥ２）。ステップＳＥ２の処理により、上述した切替処理により、楽曲データに基づく楽曲が音声出力されている間、放送受信部１４が受信したデジタルラジオ放送に基づくデジタルラジオ放送オーディオ信号が累積的にバッファー１２にバッファリングされた状態となる。
以下、バッファー１２にバッファリングされるデジタルラジオ放送オーディオ信号の集合を「録音放送データ」という。
【００６３】
バッファリングを開始した後、楽曲切替部１０ｃは、編集後の楽曲データに記録された楽曲（ステップＳＤ２で特定した再生位置から開始される楽曲）の音声出力が終了したか否かを監視する（ステップＳＥ３）。
楽曲データに基づく楽曲の音声出力が終了したことを検出した場合（ステップＳＥ３：ＹＥＳ）、楽曲切替部１０ｃは、バッファー１２に記憶された録音放送データ（バッファリングされたデジタルラジオ放送オーディオ信号。）を、先頭から読み出すと共に、読み出したデータを、順次、録音放送再生部１６に出力する（ステップＳＥ４）。楽曲切替部１０ｃは、楽曲切替部１０ｃによる録音放送データの読み出しと並行して、放送受信部１４が受信するデジタルラジオ放送に基づくデジタルラジオ放送オーディオ信号のバッファリングを継続して実行する。
ステップＳＥ４の処理に応じて、録音放送再生部１６により録音放送データの再生が実行され、録音放送再生部１６からオーディオ信号切替部１７に対して、録音放送データオーディオ信号が出力される。
【００６４】
ステップＳＥ４の処理と同期して、楽曲切替部１０ｃは、オーディオ信号切替部１７に制御信号を出力して、オーディオ信号切替部１７が音声出力部１８へ出力するオーディオ信号を、楽曲データオーディオ信号から、録音放送データオーディオ信号へと切り替える（ステップＳＥ５）。ステップＳＥ５の処理により、音声出力部１８が出力する音声が、楽曲データに基づく音声から、録音放送データに基づく音声へと切り替わる。
この結果、音声出力部１８により、デジタルラジオ放送に基づく音声が、リアルタイムではなく、楽曲データに基づく楽曲が音声出力された期間に対応する時間差で、出力される。
ステップＳＥ７の処理後、楽曲切替部１０ｃは、録音放送再生処理を終了する。
録音放送再生処理によれば、ユーザーは、楽曲データに基づいて、楽曲の全てを聴取した後、楽曲データに基づく楽曲が音声出力されている間に受信したデジタルラジオ放送を聞き逃すことなく、聴取できる。
【００６５】
以上説明したように、本実施形態に係る受信装置１は、放送を受信する放送受信部１４（放送受信手段）と、楽曲データと、楽曲の識別に用いることが可能な楽曲情報（アーティスト名情報と、曲名情報との組み合わせ。）とを対応付けて記憶する記憶部１１（楽曲データ記憶手段）と、記憶部１１が記憶する楽曲データを再生する楽曲再生部１５（楽曲再生手段）と、放送受信部１４が受信する放送に基づく音声を出力することが可能であり、また、楽曲再生部１５が再生する楽曲データに基づく音声を出力することが可能な音声出力部１８（音声出力手段）と、を備える。また、受信装置１は、楽曲情報取得部１０ａ（楽曲情報取得手段）と、楽曲判別部１０ｂ（楽曲判別手段）と、楽曲切替部１０ｃ(楽曲切替手段)とを備える。
楽曲情報取得部１０ａは、放送受信部１４により受信する楽曲を含む放送について、楽曲情報を取得する。
楽曲判別部１０ｂは、放送受信部１４により楽曲を含む放送を受信し、受信した楽曲を含む放送を音声出力部１８により出力する場合に、楽曲情報取得部１０ａにより取得された楽曲情報と、記憶部１１が記憶する楽曲情報とに基づいて、放送に含まれる楽曲と同じ楽曲の楽曲データが記憶部１１に記憶されているか否かを判別する。
楽曲切替部１０ｃは、楽曲判別部１０ｂにより、放送に含まれる楽曲と同じ楽曲の楽曲データが記憶部１１に記憶されていると判別された場合、放送に含まれる楽曲の再生時間と、記憶部１１が記憶する楽曲データの楽曲の再生時間とを比較し、記憶部１１が記憶する楽曲データの楽曲の再生時間の方が長い場合は、楽曲を含む放送に基づく音声の出力が終了した後、放送に基づく音声の出力を停止し、楽曲再生部１５に記憶部１１が記憶する楽曲データを再生させると共に、音声出力部１８に楽曲データに基づく音声を出力させる。
この構成によれば、ユーザーは、放送に楽曲の一部が含まれる場合であっても、放送に含まれる楽曲と同一の楽曲の楽曲データが記憶されている場合は、楽曲の全てを聴取することができ、ユーザーの利便性が向上する。
【００６６】
また、本実施形態では、楽曲情報取得部１０ａは、楽曲情報に加えて、放送に含まれる楽曲の再生時間を示す楽曲放送再生時間情報（再生時間情報）を取得する。
楽曲切替部１０ｃは、第１処理において、楽曲情報取得部１０ａが取得した楽曲放送再生時間情報に基づいて、放送に含まれる楽曲の再生時間を取得する。
この構成によれば、楽曲切替部１０ｃは、楽曲放送再生時間情報に基づいて、放送に含まれる楽曲の再生時間を的確に取得できる。
【００６７】
また、本実施形態では、楽曲切替部１０ｃは、第２処理において、放送に含まれる楽曲について、音声出力部１８により出力が開始されてから停止するまでの時間を計測することによって、放送に含まれる楽曲の再生時間を取得する。
この構成によれば、楽曲切替部１０ｃは、楽曲放送再生時間情報を取得できない場合であっても、放送に含まれる楽曲の再生時間を的確に取得できる。
【００６８】
また、本実施形態では、楽曲切替部１０ｃは、放送に基づく音声の出力に代えて、楽曲データに基づく音声の出力を行う際、音声出力部１８による放送に基づく音声の出力が停止するときの楽曲の再生位置と、楽曲再生部１５により楽曲データを再生するときの楽曲の再生位置とを合致させる。
この構成によれば、ユーザーは、楽曲を、重複部分なく聴取することができ、ユーザーの利便性をより向上できる。
【００６９】
また、本実施形態では、楽曲切替部１０ｃは、放送に含まれる楽曲の再生時間より、記憶部１１が記憶する楽曲データの楽曲の再生時間の方が長い場合、タッチパネル１３（報知手段）に、放送に含まれる楽曲と同一の楽曲の楽曲データが記憶されていることを報知させる。
この構成によれば、ユーザーは、放送に含まれる楽曲と同一の楽曲の楽曲データが記憶されていることを的確に認識できる。
【００７０】
また、本実施形態では、楽曲切替部１０ｃは、タッチパネル１３に、放送に含まれる楽曲と同一の楽曲の楽曲データが記憶されていることを報知させた後、タッチパネル１３が、記憶部１１が記憶する楽曲データの再生を指示する指示入力を受け付けた場合に、放送に基づく音声の出力に代えて、楽曲データに基づく音声の出力を行う。
この構成によれば、ユーザーが楽曲の全てを聴取することを望む場合に、放送に基づく音声の出力に代えて、楽曲データに基づく音声の出力を行って、楽曲の全てを聴取させることができ、ユーザーの利便性をより向上できる。
【００７１】
また、本実施形態に係る受信装置１は、放送受信部１４により受信する放送に基づく録音放送データを記憶可能なバッファー１２（録音放送記憶手段）と、バッファー１２が記憶する録音放送データを再生する録音放送再生部１６とを備える。楽曲切替部１０ｃは、放送に基づく音声の出力に代えて、楽曲データに基づく音声の出力を行う場合、放送に基づく音声の出力を停止した後、放送受信部１４により受信する放送に基づく録音放送データのバッファー１２への記憶を開始し、楽曲再生部１５による楽曲データの再生が終了した後、録音放送再生部１６に、バッファー１２に記憶した録音放送データを再生させると共に、音声出力部１８に録音放送データに基づく音声を出力させる。
この構成によれば、ユーザーは、楽曲データに基づいて、楽曲の全てを聴取した後、楽曲データに基づく楽曲が音声出力されている間に受信したデジタルラジオ放送を聞き逃すことなく、聴取できる。
【００７２】
＜第２実施形態＞
次に、第２実施形態について説明する。
図１０は、第２実施形態に係る受信装置１ｂの機能的構成を示すブロック図である。
第２実施形態の説明において、第１実施形態と同様の構成要素については、同一の符号を付し、その説明を省略する。
図１と、図１０との比較で明らかなとおり、受信装置１ｂは、通信部１９（通信手段）を備える。通信部１９は、制御部１０の制御で、所定の通信規格に従って、外部装置Ｇと通信する。
外部装置Ｇは、携帯型の音楽プレーヤーや、スマートフォンを含む携帯電話、モバイルコンピューター（例えば、タブレット端末。）等であり、少なくとも、楽曲データベース１１ａを記憶する外部装置記憶部Ｇ１を有する。また、受信装置１ｂと外部装置Ｇとの間は、有線接続されてもよく、無線接続されてもよい。また、これら装置の間で行われる通信の通信規格は、何でもよい。通信規格は、これら装置が有線接続される場合は、例えば、ＵＳＢであり、これら装置が無線接続される場合は、例えば、bluetooth（登録商標）や、Ｗｉ−Ｆｉ（登録商標）である。
制御部１０は、外部装置Ｇと通信し、外部装置Ｇの外部装置記憶部Ｇ１が記憶する楽曲データベース１１ａにアクセスすることができる。
【００７３】
第２実施形態に係る受信装置１ｂは、記憶部１１が記憶する楽曲データベース１１ａに加えて、外部装置Ｇが記憶する楽曲データベース１１ａを用いて、第１実施形態に係る受信装置１と同様の処理を実行する。
特に、第２実施形態において、楽曲判別部１０ｂ、及び、楽曲切替部１０ｃは、以下の処理を実行する。
楽曲判別部１０ｂは、放送受信部１４により楽曲を含む放送を受信し、受信した楽曲を含む放送を音声出力部１８により出力する場合に、外部装置Ｇと通信し、楽曲情報取得部１０ａにより取得された楽曲情報と、外部装置Ｇが記憶する楽曲情報とに基づいて、放送に含まれる楽曲と同じ楽曲の前記楽曲データが外部装置Ｇに記憶されているか否かを判別する。
楽曲切替部１０ｃは、楽曲判別部１０ｂにより、放送に含まれる楽曲と同じ楽曲の楽曲データが外部装置Ｇに記憶されていると判別された場合、放送に含まれる楽曲の再生時間と、外部装置Ｇが記憶する楽曲データの楽曲の再生時間とを比較し、外部装置Ｇが記憶する楽曲データの楽曲の再生時間の方が長い場合は、楽曲を含む放送に基づく音声の出力が終了した後、放送に基づく音声の出力を停止し、楽曲再生部１５に外部装置Ｇが記憶する楽曲データを再生させると共に、音声出力部１８に楽曲データに基づく音声を出力させる。
以上の構成であっても、第１実施形態で説明した効果と同様の効果を奏することができる。
【００７４】
なお、上述した実施の形態は、あくまでも本発明の一態様を示すものであり、本発明の範囲内で任意に変形および応用が可能である。
上述した実施形態において、受信装置（受信装置１、１ｂ）は、車両に搭載された装置であったが、受信装置は、車両に搭載された装置である必要は無い。
また、上述した実施形態では、ユーザーが、タッチパネル１３を操作して、受信装置１に対して指示入力を行う行う構成であったが、ユーザーによる指示入力は、タッチパネル１３に対する操作である必要は無い。例えば、受信装置１、１ｂが、音声による指示入力を受付可能な装置の場合は、ユーザーによる指示入力は、ユーザーが発話する音声により行われてもよい。また例えば、ユーザーによる指示入力は、受信装置１の筐体に設けられた操作スイッチに対する操作であってもよい。
また、上述した実施形態では、報知手段は、タッチパネル１３であり、表示という手段により、ユーザーに対して各種情報を報知した。しかしながら、報知手段がユーザーに情報を報知する方法は、表示に限らない。例えば、受信装置１、１ｂは、情報を表す音声を出力することにより、ユーザーに対して各種情報を報知してもよい。
また、上述した実施形態では、受信装置１、１ｂが受信する放送は、デジタルラジオ放送であったが、放送は、デジタルラジオ放送に限らない。
また、図１、及び、図１０は、本願発明を理解容易にするために、受信装置１の各装置の機能構成を主な処理内容に応じて分類して示した概略図である。受信装置１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【００７５】
１、１ｂ  受信装置
１ｂ  受信装置
１０  制御部
１０ａ  楽曲情報取得部（楽曲情報取得手段）
１０ｂ  楽曲判別部（楽曲判別手段）
１０ｃ  楽曲切替部（楽曲切替手段）
１１  記憶部（楽曲データ記憶手段）
１２  バッファー（録音放送記憶手段）
１３  タッチパネル（報知手段、指示入力手段）
１４  放送受信部（放送受信手段）
１５  楽曲再生部（楽曲再生手段）
１６  録音放送再生部（録音放送再生手段）
１８  音声出力部（音声出力手段）
１９  通信部（通信手段）
Ｇ  外部装置
【図１】
2018082256.tif 000003
【図２】
2018082256.tif 000004
【図３】
2018082256.tif 000005
【図４】
2018082256.tif 000006
【図５】
2018082256.tif 000007
【図６】
2018082256.tif 000008
【図７】
2018082256.tif 000009
【図８】
2018082256.tif 000010
【図９】
2018082256.tif 000011
【図１０】
2018082256.tif 000012